(57)【要約】  本開示は、女性使用者および男性使用者に適合する性別による使い捨てパンツ式吸収性物品(1)の配列(35)に関する。この配列(35)は、女性使用者に適合する第1の大きさの吸収性物品(36a)、および女性使用者に適合する第2の大きさの吸収性物品(36b)を含む、吸収性物品(1)の第1の部分配列(36)と、男性使用者向けの第3の大きさの吸収性物品(37a)、および男性使用者に適合する第4の大きさの吸収性物品(37b)を含む、吸収性物品(1)の第2の部分配列(37)とを含む。配列(35)の各吸収性物品(1)は、縦方向(Y)および横方向(X)を有する。配列(35)の各吸収性物品(1)は、ウェスト縁部(21)および1対の脇縁部(22a、22b)を有する前面パネル(3)と、ウェスト縁部(26)および1対の脇縁部(27a、27b)を有する背面パネル(4)と、吸収性物品(1)の主として股当て部分に位置し、前面パネル(3)および背面パネル(4)に連繋され、吸収性コア(5)を有する吸収性インサート(2)とを備える。前面パネル(3)および背面パネル(4)は、脇継ぎ目(6a、6b)によって、向かい合った脇縁部(22a、27a、22b、27b)において互いに接合されて、ウェスト用開口部(7)および2つの脚用開口部(8)を形成する。配列(35)内の各吸収性物品(1)は、ウェスト用開口部(7)に沿って延在する横方向に弾性をもたせたウェスト部分(42)、およびウェスト部分(42)に隣接して位置する横方向に弾性をもたせた身頃部分(43)を含む。前記第1の大きさの吸収性物品(36a)および前記第2の大きさの吸収性物品(36b)のうちの少なくとも一方は、弛ませた状態のウェスト部分(42)の第1の周長、および伸ばした状態のウェスト部分(42)の第2の周長を有し、前記第3の大きさの吸収性物品(37a)および前記第4の大きさの吸収性物品(37b)のうちの少なくとも一方は、弛ませた状態のウェスト部分(42)の第3の周長、および伸ばした状態のウェスト部分(42)の第4の周長を有する。その上、第1の周長は、第3の周長よりも小さく、第2の周長は、第4の周長と基本的に同じである。本開示はさらに、性別による使い捨てパンツ式吸収性物品(1)の配列(35)を含むパッケージの配列(80)に関する。
2020531161.tif 000002
【特許請求の範囲】
【請求項１】
女性使用者および男性使用者に適合する性別による使い捨てパンツ式吸収性物品(1)の配列(35)であって、
女性使用者に適合する第1の大きさの吸収性物品(36a)、および女性使用者に適合する第2の大きさの吸収性物品(36b)を含む、吸収性物品(1)の第1の部分配列(36)と、
男性使用者向けの第3の大きさの吸収性物品(37a)、および男性使用者に適合する第4の大きさの吸収性物品(37b)を含む、吸収性物品(1)の第2の部分配列(37)とを含み、
前記配列(35)の各吸収性物品(1)が、縦方向(Y)および横方向(X)を有し、
前記配列(35)の各吸収性物品(1)が、
ウェスト縁部(21)および1対の脇縁部(22a、22b)を有する前面パネル(3)と、
ウェスト縁部(26)および1対の脇縁部(27a、27b)を有する背面パネル(4)と、
前記吸収性物品(1)の主として股当て部分に位置し、前記前面パネル(3)および前記背面パネル(4)に連繋され、吸収性コア(5)を有する吸収性インサート(2)とを備え、
前記前面パネル(3)および前記背面パネル(4)が、脇継ぎ目(6a、6b)によって、向かい合った脇縁部(22a、27a、22b、27b)において互いに接合されて、ウェスト用開口部(7)および2つの脚用開口部(8)を形成し、
前記配列(35)内の各吸収性物品(1)が、前記ウェスト用開口部(7)に沿って延在する横方向に弾性をもたせたウェスト部分(42)、および前記ウェスト部分(42)に隣接して位置する横方向に弾性をもたせた身頃部分(43)を含み、
前記第1の大きさの吸収性物品(36a)および前記第2の大きさの吸収性物品(36b)のうちの少なくとも一方が、弛ませた状態の前記ウェスト部分(42)の第1の周長、および伸ばした状態の前記ウェスト部分(42)の第2の周長を有し、前記第3の大きさの吸収性物品(37a)および前記第4の大きさの吸収性物品(37b)のうちの少なくとも一方が、弛ませた状態の前記ウェスト部分(42)の第3の周長、および伸ばした状態の前記ウェスト部分(42)の第4の周長を有し、
前記弛ませた状態の前記ウェスト部分(42)の前記周長が、張力3ニュートンにより本明細書に記載の方法に従って測定され、前記伸ばした状態の前記ウェスト部分(42)の前記周長が、張力80ニュートンにより本明細書に記載の方法に従って測定され、
前記第3の周長が、前記第1の周長よりも10%超、具体的には15%超大きく、前記第4の周長が、前記第2の周長よりも5%未満、具体的には3%未満大きい、
性別による使い捨てパンツ式吸収性物品(1)の配列(35)。
【請求項２】
前記第1の大きさの吸収性物品(36a)の前記伸ばした状態の前記ウェスト部分(42)の前記周長が、前記第2の大きさの吸収性物品(36b)の前記伸ばした状態の前記ウェスト部分(42)の前記周長よりも小さい、請求項1に記載の配列。
【請求項３】
前記第3の大きさの吸収性物品(37a)の前記伸ばした状態の前記ウェスト部分(42)の前記周長が、前記第4の大きさの吸収性物品(37b)の前記伸ばした状態の前記ウェスト部分(42)の前記周長よりも小さい、請求項1または2に記載の配列。
【請求項４】
前記第1の大きさの吸収性物品(36a)の前記伸ばした状態の前記ウェスト部分(42)の前記周長が、前記第3の大きさの吸収性物品(37a)の前記伸ばした状態の前記ウェスト部分(42)の前記周長と実質的に等しい、請求項1から3のいずれか一項に記載の配列。
【請求項５】
前記第2の大きさの吸収性物品(36b)の前記伸ばした状態の前記ウェスト部分(42)の前記周長が、前記第4の大きさの吸収性物品(37b)の前記伸ばした状態の前記ウェスト部分(42)の前記周長と実質的に等しい、請求項1から4のいずれか一項に記載の配列。
【請求項６】
前記第1の大きさの吸収性物品(36a)の前記弛ませた状態の前記ウェスト部分(42)の前記周長が、前記第3の大きさの吸収性物品(37a)の前記弛ませた状態の前記ウェスト部分(42)の前記周長よりも小さい、請求項1から5のいずれか一項に記載の配列。
【請求項７】
前記第2の大きさの吸収性物品(36b)の前記弛ませた状態の前記ウェスト部分(42)の前記周長が、前記第4の大きさの吸収性物品(37b)の前記弛ませた状態の前記ウェスト部分(42)の前記周長よりも小さい、請求項1から6のいずれか一項に記載の配列。
【請求項８】
伸ばした状態の前記身頃部分(43)の周長が、張力80ニュートンにより本明細書に記載の方法に従って測定され、前記第1の大きさの吸収性物品(36a)の前記伸ばした状態の前記身頃部分(43)の前記周長が、前記第2の大きさの吸収性物品(36b)の前記伸ばした状態の前記身頃部分(43)の前記周長よりも小さい、請求項1から7のいずれか一項に記載の配列。
【請求項９】
伸ばした状態の前記身頃部分(43)の周長が、張力80ニュートンにより本明細書に記載の方法に従って測定され、前記第3の大きさの吸収性物品(37a)の前記伸ばした状態の前記身頃部分(43)の前記周長が、前記第4の大きさの吸収性物品(37b)の前記伸ばした状態の前記身頃部分(43)の前記周長よりも小さい、請求項1から8のいずれか一項に記載の配列。
【請求項１０】
伸ばした状態の前記身頃部分(43)の周長が、張力80ニュートンにより本明細書に記載の方法に従って測定され、前記第1の大きさの吸収性物品(36a)の前記伸ばした状態の前記身頃部分(43)の前記周長が、前記第3の大きさの吸収性物品(37a)の前記伸ばした状態の前記身頃部分(43)の前記周長と実質的に等しい、請求項1から9のいずれか一項に記載の配列。
【請求項１１】
伸ばした状態の前記身頃部分(43)の周長が、張力80ニュートンにより本明細書に記載の方法に従って測定され、前記第2の大きさの吸収性物品(36b)の前記伸ばした状態の前記身頃部分(43)の前記周長が、前記第4の大きさの吸収性物品(37b)の前記伸ばした状態の前記身頃部分(43)の前記周長と実質的に等しい、請求項1から10のいずれか一項に記載の配列。
【請求項１２】
前記配列(35)内の各吸収性物品(1)が、前記吸収性物品(1)を弛ませた状態の前記脇継ぎ目(6a、6b)の最上点(52)と前記脇継ぎ目(6a、6b)の最下点(53)との間に延在する第1の線(51)、および前記縦方向(Y)に延在する第2の線(54)によって画定される第1の鋭角(50)を含み、前記第1の大きさの吸収性物品(36a)および前記第2の大きさの吸収性物品(36b)のそれぞれの前記第1の鋭角(50)が、前記第3の大きさの吸収性物品(37a)および前記第4の大きさの吸収性物品(37b)のそれぞれの前記第1の鋭角(50)よりも大きい、請求項1から11のいずれか一項に記載の配列。
【請求項１３】
前記配列(35)内の各吸収性物品(1)が、前記物品を弛ませた状態の前記脇継ぎ目(6a、6b)の前記最下点(53)と、前記横方向(X)に前記脇継ぎ目(6a、6b)の前記最下点(53)から5cmの距離(58)における前記前面脚縁部(23)に沿った点(57)とを通って延びる第3の線(56)、および前記横方向(X)に延びる第4の線(59)によって画定される第2の鋭角(55)を含み、前記第1の大きさの吸収性物品(36a)および前記第2の大きさの吸収性物品(36b)のそれぞれの前記第2の鋭角(55)が、前記第3の大きさの吸収性物品(37a)および前記第4の大きさの吸収性物品(37b)のそれぞれの前記第2の鋭角(55)よりも大きい、請求項1から12のいずれか一項に記載の配列。
【請求項１４】
前記配列(35)内の各吸収性物品(1)の前記前面パネル(3)の脇縁部(22a、22b)と前記背面パネル(4)の、向かい合って位置する脇縁部(27a、27b)との間の最小縦方向距離(60)が、基本的に同じである、請求項1から13のいずれか一項に記載の配列。
【請求項１５】
前記配列(35)内の各前面パネル(3)が、第1の弾性領域(24)および第2の弾性領域(25)を含み、前記配列(35)内の各背面パネル(4)が、第3の弾性領域(29)および第4の弾性領域(30)を含み、前記第1の弾性領域(24)および前記第3の弾性領域(29)が、前記ウェスト用開口部(7)に沿って延在する前記横方向に弾性をもたせたウェスト部分(42)を画定し、前記第2の弾性領域(25)および前記第4の弾性領域(30)が、前記横方向に弾性をもたせた身頃部分(43)を画定する、請求項1から14のいずれか一項に記載の配列。
【請求項１６】
前記横方向に弾性をもたせたウェスト部分(42)および/または前記横方向に弾性をもたせた身頃部分(43)が、弾性不織布または弾性フィルムラミネートなど、弾性ウェブ材料を含む、請求項1から15のいずれか一項に記載の配列。
【請求項１７】
女性使用者および男性使用者に適合する性別による使い捨てパンツ式吸収性物品の配列(35)であって、
女性使用者に適合する第1の大きさの吸収性物品(36a)、および女性使用者に適合する第2の大きさの吸収性物品(36b)を含む、吸収性物品(1)の第1の部分配列(36)と、
男性使用者向けの第3の大きさの吸収性物品(37a)、および男性使用者に適合する第4の大きさの吸収性物品(37b)を含む、吸収性物品(1)の第2の部分配列(37)とを含み、
前記配列(35)の各吸収性物品(1)が、縦方向(Y)および横方向(X)を有し、
前記配列(35)の各吸収性物品(1)が、
ェスト縁部(21)および1対の脇縁部(22a、22b)を有する前面パネル(3)と、
ウェスト縁部(26)および1対の脇縁部(27a、27b)を有する背面パネル(4)と、
前記吸収性物品(1)の主として股当て部分に位置し、前記前面パネル(3)および前記背面パネル(4)に連繋され、吸収性コア(5)を有する吸収性インサート(2)とを備え、
前記前面パネル(3)および前記背面パネル(4)が、脇継ぎ目(6a、6b)によって、向かい合った脇縁部(22a、27a、22b、27b)において互いに接合されて、ウェスト用開口部(7)および2つの脚用開口部(8)を形成し、
前記配列(35)内の各吸収性物品(1)が、前記吸収性物品(1)を弛ませた状態の前記脇継ぎ目(6a、6b)の最上点(52)と前記脇継ぎ目(6a、6b)の最下点(53)との間に延在する第1の線(51)、および前記縦方向(Y)に延在する第2の線(54)によって画定される第1の鋭角(50)を含み、前記第1の大きさの吸収性物品(36a)および前記第2の大きさの吸収性物品(36b)のそれぞれの前記第1の鋭角(50)が、前記第3の大きさの吸収性物品(37a)および前記第4の大きさの吸収性物品(37b)のそれぞれの前記第1の鋭角(50)よりも大きい、
性別による使い捨てパンツ式吸収性物品の配列(35)。
【請求項１８】
前記配列(35)内の各吸収性物品(1)が、前記物品を弛ませた状態の前記脇継ぎ目(6a、6b)の前記最下点(53)と、前記横方向(X)に前記脇継ぎ目(6a、6b)の前記最下点(53)から5cmの距離(58)における前記前面脚縁部(23)に沿った点(57)とを通って延びる第3の線(56)、および前記横方向(X)に延びる第4の線(59)によって画定される第2の鋭角(55)を含み、前記第1の大きさの吸収性物品(36a)および前記第2の大きさの吸収性物品(36b)のそれぞれの前記第2の鋭角(55)が、前記第3の大きさの吸収性物品(37a)および前記第4の大きさの吸収性物品(37b)のそれぞれの前記第2の鋭角(55)よりも大きい、請求項17に記載の配列。
【請求項１９】
前記配列(35)内の各吸収性物品(1)の前記前面パネル(3)および前記背面パネル(4)が、前記吸収性インサート(2)を介して互いに相互連繋されている個々のパーツで作製され、または前記前面パネル(3)および前記背面パネル(4)が、切欠き脚用開口部(8)を有する一片のウェブ材料で作製されている単片シャーシの一体パーツであり、前記吸収体(5)が、前記シャーシの股当て部分に重なって位置している、請求項17または18に記載の配列。
【請求項２０】
前記配列(35)内の前記吸収性物品(1)が、パンツおむつ、または生理用パンツ、または失禁用パンツである、請求項17から19のいずれか一項に記載の配列。
【請求項２１】
請求項1から20のいずれか一項に記載の性別による使い捨てパンツ式吸収性物品(1)の前記配列(35)を含むパッケージの配列(80)であって、吸収性物品(1)の前記第1の部分配列(36)が、女性使用者に適合し第1のパッケージ(81)に包装されている複数の第1の大きさの吸収性物品(36a)と、女性使用者に適合し第2のパッケージ(82)に包装されている複数の第2の大きさの吸収性物品(36b)とを含み、吸収性物品(1)の前記第2の部分配列(37)が、男性使用者向けで第3のパッケージ(83)に包装されている複数の第3の大きさの吸収性物品(37a)と、男性使用者に適合し第4のパッケージ(84)に包装されている複数の第4の大きさの吸収性物品(37b)とを含み、前記パッケージの配列(80)内の前記第1のパッケージから前記第4のパッケージ(81、82、83、84)のそれぞれが、内部の前記使い捨てパンツ式吸収性物品(1)の大きさおよび/または適切な性別を示す外付けマーキングを備える、パッケージの配列(80)。
【発明の詳細な説明】
【技術分野】
【０００１】
本開示は、女性使用者および男性使用者に適合する性別による使い捨てパンツ式吸収性物品の配列に関する。この配列は、女性使用者に適合する第1の大きさの吸収性物品、および女性使用者に適合する第2の大きさの吸収性物品を含む、吸収性物品の第1の部分配列と、男性使用者向けの第3の大きさの吸収性物品、および男性使用者に適合する第4の大きさの吸収性物品を含む、吸収性物品の第2の部分配列とを含む。本開示はまた、性別による使い捨てパンツ式吸収性物品の配列を含むパッケージの配列に関する。
【背景技術】
【０００２】
使い捨てパンツ式吸収性物品の分野においては、快適性(comfort)およびフィット性(fit)を高めるだけでなく、個別の下着のような見た目(discrete underwear-like visual appearance)の吸収性物品を提供することが一般的に望まれている。男女間には解剖学的差異があるので、1つの種類の吸収性物品しかもたないことは必ずしも適切であるとは限らない。しかしながら、男性向けと女性向けに異なる吸収性物品をもつには、異なる製造装置が必要になり、コストの増加につながる。したがって、快適性、フィット性、および個別の下着のような見た目という観点でさらに改良するとともに、低い製造コストを維持することが望ましい。
【先行技術文献】
【特許文献】
【０００３】
【特許文献１】PCT/SE2016/051221
【特許文献２】WO2014/098683A1
【特許文献３】WO2013002691
【特許文献４】WO03/047488
【特許文献５】WO2007133127
【発明の概要】
【発明が解決しようとする課題】
【０００４】
本開示の目的は、上述の要望に対処した女性使用者および男性使用者に適合する性別による使い捨てパンツ式吸収性物品の配列を提供することである。この目的は、独立請求項の特徴によって少なくとも一部、達成される。本開示の変形形態は、従属請求項に見出される。
【課題を解決するための手段】
【０００５】
本開示は、女性使用者および男性使用者に適合する性別による使い捨てパンツ式吸収性物品の配列に関する。この配列は、女性使用者に適合する第1の大きさの吸収性物品、および女性使用者に適合する第2の大きさの吸収性物品を含む、吸収性物品の第1の部分配列と、男性使用者向けの第3の大きさの吸収性物品、および男性使用者に適合する第4の大きさの吸収性物品を含む、吸収性物品の第2の部分配列とを含む。配列の各吸収性物品は、縦方向および横方向を有し、ウェスト縁部および1対の脇縁部を有する前面パネル(front panel)と、ウェスト縁部および1対の脇縁部を有する背面パネル(back panel)と、吸収性物品の主として股当て部分に位置し、前面パネルおよび背面パネルに連繋され、吸収性コア(core)を有する吸収性インサート(insert)とを備える。前面パネルおよび背面パネルは、脇継ぎ目(side seam)によって、向かい合った脇縁部において互いに接合されて、ウェスト用開口部および2つの脚用開口部を形成する。その上、配列内の各吸収性物品は、ウェスト用開口部に沿って延在する横方向に弾性をもたせたウェスト部分、およびウェスト部分に隣接して位置する横方向に弾性をもたせた身頃(body)部分を含み、前記第1の大きさの吸収性物品および前記第2の大きさの吸収性物品のうちの少なくとも一方は、弛ませた状態のウェスト部分の第1の周長、および伸ばした状態のウェスト部分の第2の周長を有し、前記第3の大きさの吸収性物品および前記第4の大きさの吸収性物品のうちの少なくとも一方は、弛ませた状態のウェスト部分の第3の周長、および伸ばした状態のウェスト部分の第4の周長を有する。弛ませた状態のウェスト部分の周長は、張力3ニュートンにより本明細書に記載の方法に従って測定され、伸ばした状態のウェスト部分の周長は、張力80ニュートンにより本明細書に記載の方法に従って測定される。第3の周長は、第1の周長よりも10%超、具体的には15%超大きく、第4の周長は、第2の周長よりも5%未満、具体的には3%未満大きい。
【０００６】
特許請求される、性別による使い捨てパンツ式吸収性物品の配列は、少なくとも1つの女性用吸収性物品および少なくとも1つの男性用吸収性物品に、吸収性物品の伸ばした状態の前面パネル3および背面パネル4の基本的に同じ幅寸法を共有させることによって、上述した問題に対する一解決策を提供し、それにより、性別による吸収性物品の配列のコストが相対的に低く保たれるとともに、吸収性物品の弛ませた状態の男性用吸収性物品および女性用吸収性物品の形状ならびに形態が、特定の性別ごとに、より良好なフィット性をもつように適合されることになる。吸収性物品の弛ませた状態の男性用吸収性物品および女性用吸収性物品の形状ならびに形態は、横方向Xでの前面パネルおよび/または背面パネルのシート材料のギャザー付けの程度を変えることによって適合され、それにより、弛ませた状態のウェスト部分の周長が各性別の典型的なヒップ形状に適合されるようになる。その上、弛ませた状態のウェスト部分の周長は、たとえばウェストおよび/または身頃の弾性フィーチャ(feature)に適合させることによって、相対的にコスト効率良く変更および適合可能である。
【０００７】
その結果、個別の下着のような見た目の快適な吸収性物品を可能にするための、各性別に特に適合する吸収性物品を備える、性別による吸収性物品の配列が提供されるとともに、男性用と女性用の性別による吸収性物品間の差異の量が非常に低いレベルに保たれて、性別による吸収性物品の配列を製造するためのコストの増加が低いレベルに保たれる。
【０００８】
本開示はまた、女性使用者および男性使用者に適合する性別による使い捨てパンツ式吸収性物品の配列に関する。この配列は、女性使用者に適合する第1の大きさの吸収性物品、および女性使用者に適合する第2の大きさの吸収性物品を含む、吸収性物品の第1の部分配列と、男性使用者向けの第3の大きさの吸収性物品、および男性使用者に適合する第4の大きさの吸収性物品を含む、吸収性物品の第2の部分配列とを含む。配列の各吸収性物品は、縦方向Yおよび横方向Xを有し、ウェスト縁部および1対の脇縁部を有する前面パネルと、ウェスト縁部および1対の脇縁部を有する背面パネルと、吸収性物品の主として股当て部分に位置し、前面パネルおよび背面パネルに連繋され、吸収性コアを有する吸収性インサートとを備える。前面パネルおよび背面パネルは、脇継ぎ目によって、向かい合った脇縁部において互いに接合されて、ウェスト用開口部および2つの脚用開口部を形成する。配列内の各吸収性物品は、物品を弛ませた状態の脇継ぎ目の最上点と脇継ぎ目の最下点との間に延在する第1の線、および縦方向Yに延在する第2の線によって画定される第1の鋭角αを含み、第1の大きさの吸収性物品および第2の大きさの吸収性物品のそれぞれの第1の鋭角αは、第3の大きさの吸収性物品および第4の大きさの吸収性物品のそれぞれの第1の鋭角αよりも大きい。
【０００９】
配列の女性用吸収性物品に、相対的に細いウェストおよびより広いヒップを与えることによって、それらの吸収性物品は、快適性、フィット性を高め、下着のような見た目を可能にするように適合されている。その結果、個別の下着のような見た目の快適な吸収性物品を可能にするための、各性別に特に適合する吸収性物品を備える、性別による吸収性物品の配列が提供されるとともに、男性用と女性用の性別による吸収性物品間の差異の量が非常に低いレベルに保たれて、性別による吸収性物品の配列を製造するためのコストの増加が低いレベルに保たれる。
【００１０】
第1の大きさの吸収性物品は、第2の大きさの吸収性物品よりも小さくすることができる。これは、第1の大きさの吸収性物品の伸ばした状態のウェスト部分の周長を、第2の大きさの吸収性物品の伸ばした状態のウェスト部分の周長よりも小さくさせることによって達成され得る。
【００１１】
第3の大きさの吸収性物品は、第4の大きさの吸収性物品よりも小さくすることができる。これは、第3の大きさの吸収性物品の伸ばした状態のウェスト部分の周長を、第4の大きさの吸収性物品の伸ばした状態のウェスト部分の周長よりも小さくさせることによって達成され得る。
【００１２】
第1の大きさの吸収性物品の伸ばした状態のウェスト部分の周長は、第3の大きさの吸収性物品の伸ばした状態のウェスト部分の周長と実質的に等しくすることができる。男性用と女性用の吸収性物品に、できるだけ多くのフィーチャを共有させることによって、吸収性物品の性別による配列を提供するためのコストが低く保たれる。
【００１３】
第2の大きさの吸収性物品の伸ばした状態のウェスト部分の周長は、第4の大きさの吸収性物品の伸ばした状態のウェスト部分の周長と実質的に等しくすることができる。男性用と女性用の吸収性物品に、できるだけ多くのフィーチャを共有させることによって、吸収性物品の性別による配列を提供するためのコストが低く保たれる。
【００１４】
第1の大きさの吸収性物品の弛ませた状態のウェスト部分の周長は、第3の大きさの吸収性物品の弛ませた状態のウェスト部分の周長よりも小さくすることができる。男性用吸収性物品と比較して女性用吸収性物品のウェスト部分のギャザー付けの量を相対的に多くさせることによって、特定の性別ごとに吸収性物品を適合させるためのコスト効率の良い手法が得られる。
【００１５】
第2の大きさの吸収性物品の弛ませた状態のウェスト部分の周長は、第4の大きさの吸収性物品の弛ませた状態のウェスト部分の周長よりも小さくすることができる。男性用吸収性物品と比較して女性用吸収性物品のウェスト部分のギャザー付けの量を相対的に多くさせることによって、特定の性別ごとに吸収性物品を適合させるためのコスト効率の良い手法が得られる。
【００１６】
第1の大きさの吸収性物品は、第2の大きさの吸収性物品よりも小さくすることができる。これは、第1の大きさの吸収性物品の伸ばした状態の身頃部分の周長を、第2の大きさの吸収性物品の伸ばした状態の身頃部分の周長よりも小さくさせることによって達成され得、伸ばした状態の身頃部分の周長は、張力80ニュートンにより本明細書に記載の方法に従って測定される。
【００１７】
第3の大きさの吸収性物品は、第4の大きさの吸収性物品よりも小さくすることができる。これは、第3の大きさの吸収性物品の伸ばした状態の身頃部分の周長を、第4の大きさの吸収性物品の伸ばした状態の身頃部分の周長よりも小さくさせることによって達成され得、伸ばした状態の身頃部分の周長は、張力80ニュートンにより本明細書に記載の方法に従って測定される。
【００１８】
第1の大きさの吸収性物品の伸ばした状態の身頃部分の周長は、第3の大きさの吸収性物品の伸ばした状態の身頃部分の周長と実質的に等しくすることができ、伸ばした状態の身頃部分の周長は、張力80ニュートンにより本明細書に記載の方法に従って測定される。男性用と女性用の吸収性物品に、できるだけ多くのフィーチャを共有させることによって、吸収性物品の性別による配列を提供するためのコストが低く保たれる。
【００１９】
第2の大きさの吸収性物品の伸ばした状態の身頃部分の周長は、第4の大きさの吸収性物品の伸ばした状態の身頃部分の周長と実質的に等しくすることができ、伸ばした状態の身頃部分の周長は、張力80ニュートンにより本明細書に記載の方法に従って測定される。男性用と女性用の吸収性物品に、できるだけ多くのフィーチャを共有させることによって、吸収性物品の性別による配列を提供するためのコストが低く保たれる。
【００２０】
配列内の各吸収性物品は、物品を弛ませた状態の脇継ぎ目の最上点と脇継ぎ目の最下点との間に延在する第1の線、および縦方向に延在する第2の線によって画定される第1の鋭角を含むことができ、第1の大きさの吸収性物品および第2の大きさの吸収性物品のそれぞれの第1の鋭角は、第3の大きさの吸収性物品および第4の大きさの吸収性物品のそれぞれの第1の鋭角よりも大きい。配列の女性用吸収性物品に、相対的に細いウェストおよびより広いヒップを与えることによって、それらの吸収性物品は、快適性、フィット性を高め、下着のような見た目を可能にするように適合されている。
【００２１】
配列内の各吸収性物品は、物品を弛ませた状態の脇継ぎ目の最下点と、横方向に脇継ぎ目の最下点から5cmの距離における前面脚縁部に沿った点とを通って延びる第3の線、および横方向に延びる第4の線によって画定される第2の鋭角を含み、第1の大きさの吸収性物品および第2の大きさの吸収性物品のそれぞれの第2の鋭角は、第3の大きさの吸収性物品および第4の大きさの吸収性物品のそれぞれの第2の鋭角よりも大きい。配列の女性用吸収性物品に、相対的に細いウェストおよびより広いヒップを与えることによって、それらの吸収性物品は、快適性、フィット性を高め、下着のような見た目を可能にするように適合されている。
【００２２】
配列内の各吸収性物品の前面パネルの脇縁部と、背面パネルの、向かい合って位置する脇縁部との間の最小縦方向距離Lは、基本的に同じとすることができる。これにより、より共通の製造装置の使用が可能になり、したがって、性別による吸収性物品の配列の製造コストを抑えることが可能になる。
【００２３】
配列内の前面パネルは、第1の弾性領域および第2の弾性領域を含むことができ、配列内の各背面パネルは、第3の弾性領域および第4の弾性領域を含むことができ、第1の弾性領域および第3の弾性領域は、ウェスト用開口部に沿って延在する横方向に弾性をもたせたウェスト部分を画定することができ、第2の弾性領域および第4の弾性領域は、横方向に弾性をもたせた身頃部分を画定することができる。
【００２４】
横方向に弾性をもたせたウェスト部分および/または横方向に弾性をもたせた身頃部分は、弾性不織布または弾性フィルムラミネートなど、弾性ウェブ材料を含むことができる。弾性ウェブ材料は、たとえば、不織布材料の2つの層間に挟まれている弾性フィルム材料または弾性不織布を含むことができる。
【００２５】
第1の部分配列の各吸収性物品の横方向に弾性をもたせたウェスト部分は、追加の弾性糸を含む弾性フィルムラミネートを含むことができ、第2の部分配列の各吸収性物品の横方向に弾性をもたせたウェスト部分は、追加の弾性糸がまったくない弾性フィルムラミネートを含むことができる。女性用吸収性物品の弾性をもたせたウェスト部分に弾性糸を追加することによって、女性用物品の弾性をもたせたウェスト部分に、相対的に高い弾性張力を与えることができ、男性用吸収性物品の横方向に弾性をもたせたウェスト部分に追加の弾性糸がまったくない弾性フィルムラミネートを含ませることによって、男性用物品の弾性をもたせたウェスト部分に、相対的に低い弾性張力を与えることができる。それによって、配列の弛ませた状態の男性用吸収性物品および女性用吸収性物品の形状ならびに形態は、特定の性別ごとに適合されるようになる。
【００２６】
配列内の各吸収性物品は、物品を弛ませた状態の脇継ぎ目の最下点と、横方向Xに脇継ぎ目の最下点から5cmの距離における前面脚縁部に沿った点とを通って延びる第3の線、および横方向Xに延びる第4の線によって画定される第2の鋭角を含むことができ、第1の大きさの吸収性物品および第2の大きさの吸収性物品のそれぞれの第2の鋭角は、第3の大きさの吸収性物品および第4の大きさの吸収性物品のそれぞれの第2の鋭角よりも大きい。
【００２７】
配列内の各吸収性物品の前面パネルおよび背面パネルは、吸収性インサートを介して互いに相互連繋されている個々のパーツで作製され得、または前面パネルおよび背面パネルは、切欠き脚用開口部を有する一片のウェブ材料で作製されている単片シャーシの一体パーツであり、吸収体は、シャーシの股当て部分に重なって位置している。シャーシを二片にすると、必要なシャーシ材料はより少なくなり、コストの低減が可能になるが、一片シャーシは、必要不可欠な接着接合部がなくなることにより、より丈夫であると見なされ、より下着のような見た目が可能になり得る。
【００２８】
配列内の吸収性物品は、パンツおむつ、または生理用パンツ、または失禁用パンツとすることができる。
【００２９】
本開示はさらに、性別による使い捨てパンツ式吸収性物品の配列を含むパッケージの配列に関し、吸収性物品の第1の部分配列は、女性使用者に適合し第1のパッケージに包装されている複数の第1の大きさの吸収性物品と、女性使用者に適合し第2のパッケージに包装されている複数の第2の大きさの吸収性物品とを含み、吸収性物品の第2の部分配列は、男性使用者向けで第3のパッケージに包装されている複数の第3の大きさの吸収性物品と、男性使用者に適合し第4のパッケージに包装されている複数の第4の大きさの吸収性物品とを含み、パッケージの配列内の第1のパッケージから第4のパッケージはそれぞれ、内部の使い捨てパンツ式吸収性物品の大きさおよび/または適切な性別を示す外付けマーキングを備える。性別による吸収性物品の配列の、スタック状の性別によるおよび大きさによる吸収性物品を個々のパッケージに包装し、大きさおよび/または適切な性別を示す外付けマーキングによりマーキング付けすると、使用者は、異なる大きさおよび適切な性別を含む複数のパッケージの中から適当なタイプの吸収性物品を簡単に選択することが可能になる。
【００３０】
以下の詳細な説明においては、次の図を参照する。
【図面の簡単な説明】
【００３１】
【図１ａ】二片シャーシを含む吸収性物品の一例の正面図である。
【図１ｂ】単片シャーシを含む吸収性物品の一例の正面図である。
【図２】平らで分解された状態の吸収性物品の一例を示す図である。
【図３】弛ませた状態の第1の部分配列および第2の部分配列の様々な大きさの吸収性物品の配列を示す図である。
【図４】伸ばした状態の第1の部分配列および第2の部分配列の様々な大きさの吸収性物品の配列を示す図である。
【図５】第1の鋭角および第2の鋭角を有する吸収性物品の一例示的実施形態を示す図である。
【図６】第1の鋭角および第2の鋭角を有する吸収性物品の一例示的実施形態を示す図である。
【図７】第1の鋭角および第2の鋭角を有する吸収性物品の一例示的実施形態を示す図である。
【図８】本開示による吸収性物品のパッケージの配列を示す図である。
【図９】吸収性物品の伸ばした状態および弛ませた状態のウェスト部分の周長を決定し、ならびに吸収性物品の伸ばした状態の身頃部分の周長を決定するのに使用される試験装置を示す図である。
【発明を実施するための形態】
【００３２】
本開示の様々な態様については、これ以降、本開示を限定せずに説明するように添付の図面と併せて説明し、同様の名称は、同様の要素を表し、記載の態様の変形形態は、具体的に示されている実施形態に限定するものではなく、本開示の他の変形形態に対して適用可能である。
【００３３】
図面の図1aにおいては、使い捨てパンツ式吸収性物品1の一例示的実施形態が、組み立てられすぐに使用できる状態で概略的に示されている。パンツ式吸収性物品1は、たとえば、成人の女性使用者または男性使用者の使用に適合するパンツおむつ、生理用パンツ、または失禁用パンツである。図1の例示的な実施形態によるパンツ式吸収性物品1は、縦方向Yおよび横方向Xを有し、前面パネル3と、背面パネル4と、吸収性物品1の主として股当て部分に位置し、前面パネル3および背面パネル4の内側に連繋されて、前面パネル3と背面パネル4との間の隔たりを埋める吸収性インサート2とを有する二片シャーシを備える。吸収性インサート2は、体液を吸収するための吸収性コア5を含む。
【００３４】
図面の図1bにおいては、成人の女性使用者または男性使用者に特に適合する使い捨てパンツ式吸収性物品1の実施形態の第2の例が、組み立てられすぐに使用できる状態で概略的に示されている。図1aおよび図1bにおける吸収性物品間の差異は、図1bにおける吸収性物品1は、一片シャーシを有し、すなわち、前面パネル3および背面パネル4が一片の同じウェブ材料に属していることであり、このウェブ材料は、前面パネル3および背面パネル4を相互連繋させる一体に形成された股当て領域を有する。一片ウェブ材料は、単一ウェブ材料を含んでも、または複数の異なるウェブ材料を含んでもよく、複数の異なるウェブ材料は、おむつ生産ラインにおける交差方向に、連続したウェブを形成する異なる材料を含んで縦方向縁部に沿って並んで付着されている。
【００３５】
図1aの例示的な実施形態における前身頃パネル3の弾性ラミネートは、弾性フィルムを含み、この弾性フィルムは、繊維状の2つの外側層間に挟まれ、前面脚縁部23からウェスト縁部21まで縦方向Yに延在し、追加の弾性糸70がウェスト部分42に付着されている。背身頃パネル4の弾性ラミネートは、同じ構造とすることができる。
【００３６】
図1bの例示的な実施形態における前身頃パネル3および背身頃パネル4の弾性ラミネートは、図1aを参照して説明したものと同じ構造とすることができるが、物品の股当て領域に向かって下方にわずかにより長く延在する。
【００３７】
手短に言えば、二片シャーシを有するパンツ式吸収性物品1の製造は、たとえば、完成済みの吸収性物品1の前身頃パネル3および後ろ身頃パネル4を形成すべき2つの平行な連続したストリップ状のラミネート加工された弾性ウェブ材料をまず製造することによって行うことができる。
【００３８】
たとえば、前身頃パネル3および後ろ身頃パネル4のラミネート加工された弾性ウェブ材料の製造は、機械方向に沿って、たとえば実質的に非弾性の不織布材料など、第1のおよび第2の連続した実質的に非弾性のウェブ材料シートを供給すると同時に、互いに平行に配置される複数の連続した弾性糸および/または弾性フィルム材料など、弾性フィーチャを供給することによって行うことができ、弾性フィルム材料は、弾性重合体フィルムまたは弾性不織布とすることができる。続いて、第1のウェブ材料シートおよび第2のウェブ材料シートは、第1のシートと第2のシートとの間に位置する弾性フィーチャにより互いに接合される。
【００３９】
本明細書においては弾性フィルムという用語は、一片の連続した弾性層を弾性エリア内で交差方向と縦方向との両方に延在させた弾性重合体フィルムまたは弾性不織布などの弾性材料を示す。
【００４０】
弾性糸および/または弾性フィルム材料は、張力のかかった状態でウェブ材料と平行に第1のシートおよび第2のシートに付着される。弾性糸および/または弾性フィルム材料は、たとえば接着剤を塗布してから、張力のかかった状態でウェブ材料に固定してもよい。代替としては、ウェブ材料自体に接着剤を塗布して、それに弾性糸および/または弾性フィルム材料を固着してもよい。弾性フィルム材料は、弾性糸が吸収性物品1の横方向長さに対して湾曲した配向を示す場合に、特に有利である。弾性糸および/または弾性フィルム材料がその自然な状態に戻ることができると、完成済みのラミネート加工された弾性ウェブは、その結果、ギャザーが付くことになる。
【００４１】
最終的な吸収性物品の所望の形状に応じて、ウェブ材料は、パンツ構成に組み立てられる際、より下着のような見た目を可能にするように切断され得る。
【００４２】
方法は、依然として弾性糸および/または弾性フィルムを張力のかかった状態に保ちながら、2つの平行な連続したストリップ状のラミネート加工された弾性ウェブ間の隔たりに完成済みの吸収性インサート2を、吸収性インサート2が前記ストリップの両方に部分的に重なるように配置し、続いて、吸収性インサート2を前記ストリップに固着するステップをさらに含む。したがって、吸収性インサート2は、前面パネル3および背面パネル4とは別個に製造され、続いて、適切な製造ステップで前記身頃パネル3、4に配置され固定される。
【００４３】
製造方法は、オプションで、平らな前面設計および/または平らな背面設計を提供するステップを含むことができる。これは、前身頃パネルおよび/または後ろ身頃パネルの中心エリアにおける弾性糸および/または弾性フィルムを失活させるステップを含むことになり、それにより、前身頃パネル3および/または後ろ身頃パネル4の中心部分に位置するラミネート加工されたウェブ材料は、張力のかかっていない自然な状態に戻ることが可能になり、それによって、前身頃パネル3および/または後ろ身頃パネル4の所望の領域に平らなエリアが生み出されることになる。
【００４４】
張力のかかった弾性糸を失活させることは、前身頃パネルおよび/または後ろ身頃パネルの中心エリアを接着剤のない状態に保ち、続いて、前身頃パネルおよび/または後ろ身頃パネルの中心部分に位置する弾性糸の遮断作業を行うことによって、実施することができ、それにより、前身頃パネル3および/または後ろ身頃パネル4の中心部分に位置する弾性糸の非接着部分は、周囲のウェブ材料にギャザー付け効果を発揮することなくそれらの張力のかかっていない自然な状態に戻ることが可能になり、それによって、前身頃パネル3および/または後ろ身頃パネル4の所望の領域に平らなエリアが生み出されることになる。弾性糸を失活させる1つのやり方については、出願番号PCT/SE2016/051221に開示されている。
【００４５】
選択されたエリア内で、弾性フィルムを含むあらかじめラミネート加工された弾性ウェブ材料を失活させることは、たとえば、関心のエリア内で、弾性ウェブ材料を加熱する、凍結する、切断する、または化学的もしくは超音波処理することによって、行うことができ、それにより、弾性フィルムは、その圧着効果(crimping effect)を失い、前身頃パネル3および/または後ろ身頃パネル4の中心部分に位置するラミネート加工されたウェブ材料は、張力のかかっていない自然な状態に戻ることが可能になり、それによって、前身頃パネル3および/または後ろ身頃パネル4の所望の領域に平らなエリアが生み出されることになる。
【００４６】
活性弾性糸/フィルムの吸収性コア5へのギャザー付け効果は、吸収性コア5の吸収能力に負の効果をもたらすと見なされることがあるので、そのような平らなエリアは、典型的には、吸収性コア5が前身頃パネル3および/または後ろ身頃パネル4に重なるエリアにおいては望ましい。前面セクションの下側エリア内の弾性手段もまた、同様に失活させてあってもよい。
【００４７】
吸収性インサート2を2つの平行な連続したストリップ状のラミネート加工された弾性ウェブに固着した後、連続した材料帯全体が、吸収性インサート2の実質的に横方向Xに延在する折り線で折り畳まれ、それにより、2つの平行な連続したストリップ状のラミネート加工された弾性ウェブが、折畳み後、重畳されるようになる。その後、2つの平行な連続したストリップ状のラミネート加工された弾性ウェブは、たとえば、超音波溶接を用いて、材料帯に沿って所定の固定間隔で別々の場所で互いに接合されて、完成済みの吸収性物品1の脇継ぎ目6a、6bを形成する。その結果、前面パネル3の脇縁部は、背面パネル4の向かい合った脇縁部に恒久的に付着されて、完成し組み立てられた吸収性物品1の脇継ぎ目6a、6bを形成し、それによって、ウェスト用開口部7および1対の脚用開口部8も画定されることになる。
【００４８】
最終ステップにおいては、連続した材料帯は、折り畳まれた連続材料帯を個々の吸収性物品1へと変形するように、脇継ぎ目6a、6bの中のまたは脇継ぎ目6a、6bに隣接するエリアにおいて機械の交差方向で切断される。前面パネル3および背面パネル4のラミネート加工された弾性ウェブ材料が、横方向Xに、伸張した状態で、もはや保持されなくなったとき、挟まれた弾性糸/フィルムにより、ウェブ材料は、ギャザーが付き、すなわち、横方向Xに縮まり、ラミネート加工された弾性ウェブ材料にわずかな起伏が形成されることになる。そのような弾性ウェブ材料の製造工程の一例については、全体が参照されている文献WO2014/098683A1に、より詳細に記載されている。
【００４９】
より具体的には、パンツ式吸収性物品における前面パネル3および/または背面パネル4として使用される弾性ラミネートは、少なくとも3つの層を含むことができ、つまり、第1の外側の不織布層および第2の外側の不織布層は、これらの層が、内側の弾性フィルム層との組合せで、たとえば指の爪によって穿孔されないようにするための穴あきに対する高い耐性を弾性ラミネートに与えるように選択される。第1の外側の不織布層および第2の外側の不織布層はまた、ラミネートに対して、柔らかく、布のような感覚をもたらす。適切な材料の例は、カーデッドウェブおよびスパンボンド材料である。第1の外側の不織布層および第2の外側の不織布層の繊維状材料の坪量(basis weight)は、8g/m2から35g/m2の間、好ましくは10g/m2から30g/m2の間、より好ましくは12g/m2から25g/m2の間とすべきである。繊維状材料に使用される適切な重合体の例は、ポリエチレン、ポリエステル、ポリプロピレン、ならびに他のポリオレフィンのホモ重合体および共重合体である。天然繊維、たとえば、コットンが、所要の特性を提供する限り使用されてもよい。重合体の混合物は、不織布層のより高い可撓性に寄与することができ、これにより、不織布材料に、最大荷重における、より高い伸長が与えられる。ポリエチレン重合体とポリプロピレン重合体との混合物は、この点において、良好な結果をもたらすことを証明している。異なる重合体の繊維の混合物もまた、可能である。不織布層は、ラミネートの引張強度が、意図された目的には十分になるように選択すべきである。
【００５０】
好ましくは、弾性フィルムは、坪量が20g/m2から80g/m2の間、好ましくは20g/m2から60g/m2の間である。弾性フィルムは、天然または合成の任意の適切な弾性重合体のものとすることができる。弾性フィルムについての適切な材料のいくつかの例は、低結晶性ポリエチレン、メタロセン触媒低結晶性ポリエチレン、エチレン酢酸ビニル共重合体(EVA:ethylene vinyl acetate copolymers)、ポリウレタン、ポリイソプレン、スチレン/イソプレン/スチレン(SIS:styrene/isoprene/styrene)、スチレン/ブタジエン/スチレン(SBS:styrene/butadiene/styrene)、またはスチレン/エチレンブタジエン/スチレンブロック共重合体などのブタジエンスチレン共重合体、スチレンブロック共重合体である。これらの重合体のブレンドが、他の変性エラストマーまたは非エラストマーの材料と同様に使用されてもよい。弾性ラミネートの総坪量は、好ましくは40g/m2から100g/m2の間、より好ましくは90g/m2以下である。
【００５１】
上述したように、弾性ラミネートは、繊維状材料の第1の外側層および第2の外側層と、前記繊維状層間に位置する弾性フィルムとから構成され得る。弾性ラミネートはまた、第1の繊維状層および第2の繊維状層のうちの一方または両方にラミネート加工された1つまたは複数の追加の繊維状層を含むことができる。そのような追加の繊維状層は、弾性ラミネートの一部にしか存在しなくてもよい。したがって、弾性ラミネートは、そのエリア全体わたって同一である必要はなく、異なるエリアに異なる層を含んでもよい。
【００５２】
繊維状材料からなる第1の外側層および第2の外側層は、弾性フィルム層が伸張した状態である間、この弾性フィルム層に結合され得、したがってこれは伸張結合と呼ばれる。結果的に生じるラミネートは、弾性的に伸張自在になる。フィルムは、伸張していない様相で不織布層に結合され得る。次いで、そのようなラミネートには、不織布が非弾性である場合に不織布層を断裂する機械的活性化の形態でのさらなる処理が必要である。
【００５３】
弾性フィルムは、開口付き弾性フィルムとすることができ、開口は、あらかじめ作製されていても、または開口は、結合箇所または結合箇所付近に超音波結合工程もしくは熱溶接工程で形成されてもよく、結合工程により、フィルムおよび/または不織布層に穴が生み出される。穴は、フィルムが不織布層間に伸張様相で用いられる場合には、結合箇所の外側に形成されてもよく、そのようなラミネートを生み出す方法については、WO2013002691に記載されている。
【００５４】
弾性フィルム層の開口面積は、より好ましくは少なくとも5%、より好ましくは少なくとも8%である。開口面積は、画像解析方法によって測定され、フィルムサンプルの総面積によって除算した穴面積の合計として規定される。
【００５５】
弾性ラミネートを製造するための別の方法については、WO03/047488に記載されており、ここでは、一方のスパンボンド層が、粘着状態のフィルムに施され、したがって、このフィルムは、スパンボンド層に結合されることになり、一方、他方のスパンボンド層は、たとえば感圧ホットメルト接着剤を使用して、フィルム層に接着してラミネート加工される。代替としては、ラミネートは、この方法の修正された変形形態に従って製造され、この修正形態は、ラミネートが、非弾性不織布層のうちの少なくとも1つのピーク荷重における伸長を下回る点まで徐々に伸張されて(噛合い歯車(IMG:intermeshing gear)を介して)、不織布層のうちの少なくとも1つについて何らかの強度を保持することを含む。他の層もまた、ピーク荷重におけるその伸長を下回る点まで、または伸張中、断裂することになる点まで伸張され得る。
【００５６】
代替の実施形態においては、ラミネートは、不織布ウェブの形態で第1の繊維状層を結合ニップ内に供給し、溶融された弾性フィルム形成重合体を、ダイを介してニップ内に押し出すことによって製造される。第1の繊維状層および弾性フィルムは、第1のラミネートを形成する。第2のラミネートステップにおいては、第1のラミネートのフィルム側は、接着剤がコーティングされ、またはスプレーされ、続いて、第2の繊維状層と一緒に第2の結合ニップの中を通過して、ラミネートを形成する。ラミネートは、続いて、徐々に伸張を受けることによって活性化される。
【００５７】
適切なラミネートを生産する別の方法については、WO2007133127に記載されており、ここでは、弾性フィルムと不織布との二重ラミネートが、機械的に伸張することによって活性化されている。活性化された二重ラミネートは、伸張され、第2の不織布層に結合されて、3層のラミネートを形成する。
【００５８】
弾性ラミネート材料は、好ましくは、シャーシの前面部分、背面部分、および連繋部分のうちの少なくとも一部にわたって、外側カバーシート材料ならびに内側カバー材料として配置される。弾性ラミネート材料は、シャーシの唯一の構成要素を、平らな状態で見たときの物品の総表面積の少なくとも20%、好ましくは少なくとも25%、より好ましくは少なくとも30%、最も好ましくは少なくとも40%で構成し得る。
【００５９】
弾性ラミネートは、物品の連繋部分の実質的な一部に存在していなくてもよい。股当てパネル材料は、その衣類側における吸収性組立体の少なくとも一部の下にあってよい。股当てパネル材料は、弾性材料が使用されてもよいが、非弾性ウェブ材料であってもよい。適切には、股当てパネル材料は、不織布材料である。股当てパネル材料は、継ぎ目に沿って弾性ラミネートに接合されている。
【００６０】
図2は、脇継ぎ目6a、6bが、組み立てられていない状態、すなわち、脇継ぎ目が開いており、または脇継ぎ目が作られていない状態の、本開示による吸収性物品の一例示的実施形態を概略的に示している。前面パネル3は、ウェスト縁部21、左脇縁部22a、右脇縁部22b、および前面脚縁部23を含む。
【００６１】
前面パネル3のラミネート加工されたウェブ材料は、たとえば、主として横方向Xに左脇縁部22aと右脇縁部22bとの間に延在し前面パネルウェスト縁部21に隣接して位置する第1の少なくとも部分的に弾性の領域24を含むことができ、それによって、ウェスト弾性フィーチャが画定される。
【００６２】
前面パネル3のラミネート加工されたウェブ材料は、前面脚縁部23の側に、第1の少なくとも部分的に弾性の領域24の隣に位置する第2の少なくとも部分的に弾性の領域25をさらに含む。第2の少なくとも部分的に弾性の領域25は、第2の少なくとも部分的に弾性の領域25の大きさに応じて使用者の腹部にわたって延在することができるので、弾性腹部領域と呼ぶことができる。
【００６３】
前面パネルは、主として横方向Xに左脇縁部22aと右脇縁部22bとの間に延在し前面脚縁部23に隣接して位置する脚弾性フィーチャ(図示せず)をさらに有することができる。
【００６４】
背面パネル4は、ウェスト縁部26、左脇縁部27a、右脇縁部27b、および背面脚縁部28を含む。
【００６５】
背面パネル4のラミネート加工されたウェブ材料は、たとえば、主として横方向Xに左脇縁部27aと右脇縁部27bとの間に延在し背面パネルウェスト縁部26に隣接して位置する第3の少なくとも部分的に弾性の領域29を含むことができ、それによってウェスト弾性フィーチャが画定される。
【００６６】
背面パネル4のラミネート加工されたウェブ材料は、背面脚縁部28の側に、第3の少なくとも部分的に弾性の領域29の隣に位置する第4の少なくとも部分的に弾性の領域30をさらに含むことができる。
【００６７】
背面パネルは、主として横方向Xに左脇縁部27aと右脇縁部27bとの間に延在し背面脚縁部28に隣接して位置する脚弾性フィーチャ(図示せず)をさらに有することができる。
【００６８】
吸収性インサート2は、吸収性物品1の主として股当て部分に位置し、前面パネル3および背面パネル4に連繋し、吸収性コア5を有する。
【００６９】
図2に示されている吸収性物品の例示的な実施形態は、ウェスト部分と身頃部分との両方に弾性糸を有する弾性ラミネートを含む。前面パネル3の第1の少なくとも部分的に弾性の領域24は、たとえば、2から8ミリメートルの実質的に等間隔で平行に配置されている複数の弾性糸70を含み、たとえば、4から6本の弾性糸を含むことができる。弾性糸70はそれぞれ、たとえば600から1200デシテックスの範囲、具体的には750から1000デシテックスの範囲にあることが可能な実質的に等しい質量密度を有することができる。
【００７０】
前面パネル3の第2の少なくとも部分的に弾性の領域25は、典型的には、吸収性物品1の腹部部分に対応し、たとえば、5から13ミリメートルの実質的に等間隔で平行に配置されている複数の弾性糸70を含むことができ、たとえば、9から27本の弾性糸を含むことができる。弾性糸70はそれぞれ、たとえば350から900デシテックスの範囲、具体的には500から700デシテックスの範囲にあることが可能な実質的に等しい質量密度を有することができる。前面パネル3の下側エリアに対して、腹部部分内の隣接する弾性糸間の間隔を相対的に大きくさせると、大きくて快適な腹部部分が可能になる。
【００７１】
背面パネル4の第3の少なくとも部分的に弾性の領域29は、たとえば、2から8ミリメートルの実質的に等間隔で平行に配置されている複数の弾性糸70を含むことができ、たとえば、4から6本の弾性糸を含むことができる。弾性糸70はそれぞれ、たとえば、600から1200デシテックスの範囲、具体的には750から1000デシテックスの範囲にあることが可能な実質的に等しい質量密度を有することができる。
【００７２】
背面パネル4の第4の少なくとも部分的に弾性の領域30は、たとえば、5から13ミリメートルの実質的に等間隔で平行に配置されている複数の弾性糸70を含むことができ、たとえば、9から27本の弾性糸を含むことができる。弾性糸70はそれぞれ、たとえば、350から900デシテックスの範囲、具体的には500から700デシテックスの範囲にあることが可能な実質的に等しい質量密度を有することができる。
【００７３】
たとえば、940dtexなど、同じタイプおよび大きさの糸が、男性用製品と女性用製品との両方のウェスト弾性部に使用される場合、男性についての適切な伸長の一例は、75から100%の範囲内とすることができ、女性についての適切な伸長の一例は、150から250%の範囲内とすることができる。男性用ウェスト弾性部と比較して、女性用ウェスト弾性部の弾性糸の伸長をより高いレベルにすると結果的に、女性用物品のギャザー付け効果の程度がより高くなり、それによって、特定の性別ごとに、吸収性物品の形状をより良好にフィットするように適合することになる。
【００７４】
脇継ぎ目6a、6bに接着剤がない場合には、連続した弾性糸70は、吸収性物品1の製造中、脇継ぎ目6a、6bのエリア内で、連続した材料帯を個々の吸収性物品に分割するのに必要な切断作業と同時にスナップバック(snap back)する。その結果、細い縦方向の材料ストリップ31a、31bが、図2の例示的な実施形態においては、それらに弾性糸70をまったく付着させずに示されている。
【００７５】
前面パネル3および背面パネル4の形状は、変えることができる。たとえば、前面パネル3および背面パネル4のうちの一方または両方が、実質的に長方形の形状をしたパネルを有してもよい。その上、前面パネル3および/または背面パネル4の任意の弾性をもたせた領域が、たとえば脚縁部の湾曲した形状に適合する湾曲した部分を有してもよい。
【００７６】
上述したように、本開示による1つの目的は、男女間の解剖学的差異、および個々の大きさのニーズを考慮し、また低い製造コストを維持しながら、快適性およびフィット性を高め、個別の下着のような見た目の吸収性物品を提供するために、少なくとも2つの大きさの性別による吸収性物品の配列を提供することである。本開示は、一解決策を提供し、ここでは、伸ばした状態の前面パネル3および背面パネル4の同じ幾何学的形状および寸法を使用しながら、横方向Xでの前面パネルおよび/または背面パネルのシート材料のギャザー付けの程度が、特定の性別ごとに、より良好なフィット性をもつように吸収性物品を適合させるのに使用される。
【００７７】
その結果、特に男性使用者と女性使用者に適合する吸収性物品はともに、製造ラインの変更を最小限にして、すなわち、単に、ギャザー付け効果の程度に影響を及ぼすフィーチャを適合させることだけによって製造され得る。ギャザー付け効果の程度は、たとえば、前面パネルおよび/または背面パネルのシート材料への付着量における弾性糸および/または弾性フィルムの伸長レベルを増加または減少させることによって、あるいは弾性糸および/または弾性フィルムなど、前面パネルおよび背面パネルに弾性をもたせるのに使用される弾性手段の質量密度を増加または減少させることによって、あるいは前面パネルおよび背面パネル内の隣接する弾性糸間の距離を増加または減少させることによって、あるいは前面パネルおよび背面パネルを形成するシート材料の剛性度を増加または減少させることによって、適合され得る。結果として、性別による吸収性物品の配列のコスト効率の良い製造は、弾性をもたせていないまたは伸ばした状態の基本的に同じ大きさの前面パネルおよび背面パネルを使用するとともに、前面パネルおよび背面パネルのシート材料のギャザー付け効果のレベルを使用して、特定の性別ごとに、より良好にフィットするように吸収性物品の形状を適合させることによって可能になる。
【００７８】
本開示による女性使用者および男性使用者に適合する性別による使い捨てパンツ式吸収性物品の配列については、図3および図4を参照して、より詳細に後述するが、図3は、弛ませた自然な状態の女性使用者および男性使用者に適合する性別による使い捨てパンツ式吸収性物品1の配列35の一例示的実施形態を概略的に示し、図4は、伸ばした状態の、図3の例示的な実施形態の配列35を概略的に示している。
【００７９】
図3および図4の例示的な配列35は、女性使用者に適合する第1の大きさの吸収性物品36aおよび女性使用者に適合する第2の大きさの吸収性物品36bを含む、吸収性物品1の第1の部分配列36と、男性使用者向けの第3の大きさの吸収性物品37aおよび男性使用者に適合する第4の大きさの吸収性物品37bを含む、吸収性物品1の第2の部分配列37とを含む。
【００８０】
配列35内の各吸収性物品の前面パネル3の第1の弾性領域24と背面パネル4の第3の弾性領域29とはともに、組み立てられすぐに使用できる状態で吸収性物品1の横方向に弾性をもたせたウェスト部分42を画定する。
【００８１】
縦方向Yのウェスト部分の長さは、吸収性物品1の弛ませた状態で測定されたとき、5から75ミリメートルの範囲内、具体的には10から50ミリメートルの範囲内とすることができる。
【００８２】
配列35内の各吸収性物品の前面パネル3の第2の弾性領域25と背面パネル4の第4の弾性領域30とはともに、組み立てられすぐに使用できる状態で吸収性物品1の横方向に弾性をもたせた身頃部分43を画定する。
【００８３】
ウェスト部分42と身頃部分との間の距離は、たとえば、20ミリメートル未満、具体的には10ミリメートル未満とすることができる。
【００８４】
配列の吸収性物品は、前面パネル3および背面パネル4の脚弾性フィーチャ(図示せず)をさらに含んでもよい。
【００８５】
図3および図4に示されている配列内の吸収性物品の前身頃パネル3および背身頃パネル4のそれぞれの弾性ラミネートは、脚縁部からウェスト縁部まで縦方向Yに延在し追加の弾性糸をウェスト部分42に付着させた弾性フィルムを含む。
【００８６】
代替としては、第1の部分配列36内の吸収性物品1の前身頃パネル3および背身頃パネル4のそれぞれの弾性ラミネートは、脚縁部からウェスト縁部まで縦方向Yに延在し追加の弾性糸をウェスト部分42に付着させた弾性フィルムを含むことができ、第2の部分配列37内の吸収性物品1の前身頃パネル3および背身頃パネル4のそれぞれの弾性ラミネートは、脚縁部からウェスト縁部まで縦方向Yに延在し追加の弾性糸をウェスト部分42に付着させない弾性フィルムを含むことができる。追加の弾性糸を第1の部分配列のみの吸収性物品(女性用物品)にウェスト部分において付着させることによって、女性用物品には、相対的に細いヒップで、より広い身頃の女性の特徴的形状を備えることができる。
【００８７】
第2の大きさは、第1の大きさよりも大きく、第4の大きさは第3の大きさよりも大きい。大きさの差異は、たとえば、弛ませた状態のウェスト部分42の周長の増加に反映され得る。本明細書における吸収性物品の任意の部分の周長という用語は、吸収性物品の前記部分の内側周長を示す。弛ませた状態のウェスト部分42の周長は、典型的には、吸収性物品が、図3に概略的に示されているように平らな状態で測定されたときの脇継ぎ目6a、6bの上側端部の内側脇間の長さ39の2倍に対応する。
【００８８】
大きさの差異は、代替として、または上記との組合せで、図3および図4に概略的に示されているように、たとえば、縦方向Yに脇継ぎ目6a、6bの高さ41の増加に反映され得る。
【００８９】
一例示的実施形態によれば、第1の部分配列36および/または第2の部分配列37内の各吸収性物品1は、製造コストをさらに抑えるように、同一の吸収性インサート2および吸収性コア5を有することができる。
【００９０】
その上、図2に示されているように、配列35内の各吸収性物品1の脇継ぎ目6a、6bを分解して、または脇継ぎ目を作る前に測定されたとき、前面パネル3の脇縁部22bと背面パネル4の、向かい合って位置する脇縁部27bとの間の最小縦方向距離60は、基本的に同じとすることができる。これにより、より共通の製造装置の使用および共通の吸収性インサートの使用が可能になるので、製造コストをさらに抑えることが可能になる。
【００９１】
図1a、図1b、および図2から図4を参照して上述したように、配列の各吸収性物品は、縦方向Yおよび横方向Xを有し、ウェスト縁部21および1対の脇縁部22a、22bを有する前面パネル3と、ウェスト縁部26および1対の脇縁部27a、27bを有する背面パネル4とを含む。図3においては、配列35の吸収性物品1は、弛ませた状態および実質的に平らな様相で正面図が示されている。前面パネル3および背面パネル4は、脇継ぎ目6a、6bによって向かい合った脇縁部22a、27a、22b、27bにおいて互いに接合されて、ウェスト用開口部7および2つの脚用開口部8を形成する。配列35内の各吸収性物品1は、ウェスト用開口部7に沿って延在する横方向に弾性をもたせたウェスト部分42を含む。
【００９２】
男女間の解剖学的差異、および個々の大きさのニーズを考慮し、また低い製造コストを維持しながら、快適性およびフィット性を高め、個別の下着のような見た目の、少なくとも2つの大きさの性別による吸収性物品1の配列35を達成するために、前記第1の大きさの吸収性物品1および前記第2の大きさの吸収性物品1のうちの少なくとも一方は、弛ませた状態のウェスト部分42の第1の周長、および伸ばした状態のウェスト部分42の第2の周長を有し、前記第3の大きさの吸収性物品1および前記第4の大きさの吸収性物品1のうちの少なくとも一方は、弛ませた状態のウェスト部分42の第3の周長、および伸ばした状態のウェスト部分42の第4の周長を有し、弛ませた状態のウェスト部分42の周長は、張力3ニュートンにより後述する方法に従って測定され、伸ばした状態のウェスト部分42の周長は、張力80ニュートンにより後述する方法に従って測定され、第3の周長は、第1の周長よりも10%超、具体的には15%超大きく、第4の周長は、第2の周長よりも5%未満、具体的には3%未満大きい。
【００９３】
このことは、各部分配列36、37の少なくとも1つの吸収性物品が、製造コストの低減を達成するために、伸ばした状態の前面パネル3および背面パネル4の同じ幾何学的形状および寸法を基本的に共有し、一方、各部分配列36、37の少なくとも1つの吸収性物品が、唯一の性別に特にフィットするように適合されている、弛ませた状態の形状および形態を依然として有することを基本的に意味する。
【００９４】
男性のヒップ形状が、相対的に細く、ある種、箱形状に似ている、すなわち、ヒップ脇が相対的に縦長(vertically oriented)であり、それに対して、女性のヒップ形状が、相対的に広く、ある種、台形形状に似ている、すなわち、ヒップ脇がより傾斜していることはよく知られている。その結果、上記に規定したように、第1の周長を第3の周長よりも小さく設定することによって、第1の部分配列36の少なくとも1つの吸収性物品は、女性使用者にフィットするように特に適合されている、弛ませた状態の形状および形態を有し、第2の部分配列37の少なくとも1つの吸収性物品は、男性使用者にフィットするように特に適合されている、弛ませた状態の形状および形態を有する。
【００９５】
上記のように、第4の周長は、第2の周長よりも5%未満、具体的には3%未満大きい。単一の製造ラインにおいて様々なタイプおよび大きさの吸収性物品を製造するには、たとえば、吸収性物品の特定の大きさを考慮するなど、製造ラインのある程度の適応性が必要になる。伸ばした状態の吸収性物品のウェスト部分42の結果として生じる周長は、脇継ぎ目の幾何学的形状が一定に維持する場合には、吸収性物品の前面パネル3および背面パネル4の選択された幅に概ね直接依存する。その結果、伸ばした状態の前面パネル3および背面パネル4の幅は、重要な製造パラメータであり、配列35内の2つの異なる物品に実質的に同じ幅を使用することによって、この製造工程は、典型的には、それぞれ個々のタイプの吸収性物品の製造ラインの調整に対するニーズが抑えられることに起因する簡略化された製造、およびより大きいレベルの同一の製造装置の使用を可能にする。
【００９６】
各部分配列36、37の少なくとも1つの吸収性物品に前面パネル3および背面パネル4の基本的に同じ幅寸法を共有させることは、たとえば、伸ばした状態のウェスト部分42および/または身頃部分43の周長の観点で規定され得る。
【００９７】
伸ばした状態のウェスト部分42の周長は、典型的には、吸収性物品が、図4に概略的に示されている伸ばした状態で保持されているときの脇継ぎ目6a、6bの上側端部の内側脇間の長さ39の2倍に対応する。
【００９８】
その上、伸ばした状態の身頃部分43の周長は、典型的には、吸収性物品が、図4に概略的に示されている伸ばした状態で保持されているときの脇継ぎ目6a、6bの下側端部の内側脇間の長さ40の2倍に対応する。
【００９９】
図4を参照すると、第1の大きさの吸収性物品36aの伸ばした状態のウェスト部分42の周長は、第2の大きさの吸収性物品36bの伸ばした状態のウェスト部分42の周長よりも小さい。したがって、第2の大きさの吸収性物品36bは、第1の大きさの吸収性物品36aよりも大きい。
【０１００】
図4を参照すると、第3の大きさの吸収性物品37aの伸ばした状態のウェスト部分42の周長は、第4の大きさの吸収性物品37bの伸ばした状態のウェスト部分42の周長よりも小さい。したがって、第4の大きさの吸収性物品37bは、第3の大きさの吸収性物品37aよりも大きい。
【０１０１】
本開示による配列35の一例示的実施形態によれば、図4に示されているように、第1の大きさの吸収性物品36aの伸ばした状態のウェスト部分42の周長は、第3の大きさの吸収性物品37aの伸ばした状態のウェスト部分42の周長と実質的に等しい。
【０１０２】
その上、本開示による配列のさらなる一例示的実施形態によれば、図4に示されているように、第2の大きさの吸収性物品36bの伸ばした状態のウェスト部分42の周長は、第4の大きさの吸収性物品37bの伸ばした状態のウェスト部分42の周長と実質的に等しい。各部分配列36、37のより小さい吸収性物品およびより大きい吸収性物品に、伸ばした状態のウェスト部分42の基本的に同じ周長を共有させることによって、寸法的大きさを共有する吸収性物品の数が増加することに起因して、さらなる製造コストの削減をも可能になる。
【０１０３】
個々の吸収性物品の前面パネルおよび背面パネルの切断工程ならびに/または脇継ぎ目製造工程の製造のばらつきと公差とによってわずかなばらつきが生じることに起因して、伸ばした状態のウェスト部分42の周長の一定のレベルの寸法的ばらつきがつねに起きることになる。その上、伸ばした状態のウェスト部分42の周長は、吸収性物品のウェスト部分42が所定の力レベルにより横方向に伸長されるときに測定されるので、ウェスト弾性フィーチャによって生じる弾性引張応力のばらつきもまた、伸ばした状態のウェスト部分42の周長の寸法的ばらつきの原因となり得る。その結果、異なる吸収性物品間の約5%未満、具体的には2%未満の、製造および材料に起因する伸ばした状態のウェスト部分42の周長の寸法的ばらつきは、依然として、「実質的に等しい(substantially equal)」という用語の下に入ると見なされている。
【０１０４】
本開示による配列35の一例示的実施形態によれば、図3に示されているように、第1の大きさの吸収性物品36aの弛ませた状態のウェスト部分42の周長は、第3の大きさの吸収性物品37aの弛ませた状態のウェスト部分42の周長よりも小さい。このことは、横方向Xでの前面パネルおよび/または背面パネルのシート材料のギャザー付けの程度が、特定の性別ごとに、より良好なフィット性をもつように吸収性物品の形状および形態を適合させるのに使用され得ることを示している。
【０１０５】
本開示による配列の一例示的実施形態によれば、図3に示されているように、第2の大きさの吸収性物品36bの弛ませた状態のウェスト部分42の周長は、第4の大きさの吸収性物品37bの弛ませた状態のウェスト部分42の周長よりも小さい。このことは、横方向Xでの前面パネルおよび/または背面パネルのシート材料のギャザー付けの程度が、特定の性別ごとに、より良好なフィット性をもつように吸収性物品の形状および形態を適合させるのに使用され得ることを示している。
【０１０６】
図1a、図1b、図2〜図4に示されているように、配列35の各吸収性物品1は、本開示の一例示的実施形態により、ウェスト部分42に隣接して位置しウェスト部分42と実質的に平行に延在する横方向に弾性をもたせた身頃部分43をさらに含むことができる。横方向に弾性をもたせた身頃部分43は、典型的には、ウェスト部分42よりも、縦方向Yに前面パネル3および背面パネル4のより大きいエリアにわたって伸張する。
【０１０７】
伸ばした状態の身頃部分43の周長は、典型的には、図4に概略的に示されている脇継ぎ目6a、6bの下側端部の内側脇間の長さ39の2倍に対応する。
【０１０８】
より詳細には、図4の例示的な実施形態の配列35の第1の大きさの吸収性物品36aの伸ばした状態の身頃部分43の周長は、第2の大きさの吸収性物品36bの伸ばした状態の身頃部分43の周長よりも小さくすることができる。このことは、第2の大きさの吸収性物品が、第1の大きさの吸収性物品よりも大きく、それにより、吸収性物品の配列が、個々の使用者ごとに、適切な吸収性物品の提供の改良がもたらされることを示している。
【０１０９】
その上、図4の例示的な実施形態の配列35の第3の大きさの吸収性物品37aの伸ばした状態の身頃部分43の周長は、第4の大きさの吸収性物品37bの伸ばした状態の身頃部分43の周長よりも小さくすることができる。このことは、第4の大きさの吸収性物品が、第3の大きさの吸収性物品よりも大きく、それにより、吸収性物品の配列が、個々の使用者ごとに、適切な吸収性物品の提供の改良がもたらされることを示している。
【０１１０】
その上、図4の例示的な実施形態の配列35の第1の大きさの吸収性物品36aの伸ばした状態の身頃部分43の周長は、第3の大きさの吸収性物品37aの伸ばした状態の身頃部分43の周長と実質的に等しく、図4の配列35の第2の大きさの吸収性物品36bの伸ばした状態の身頃部分43の周長は、第4の大きさの吸収性物品37bの伸ばした状態の身頃部分43の周長と実質的に等しい。このことは、配列が、伸ばした状態の前面パネル3および背面パネル4の2つの異なる基本形状のみに基づいて4つの吸収性物品を含み、それによって、配列の製造コストの低減が可能になることを示している。
【０１１１】
本開示による吸収性物品の配列の男性用吸収性物品および女性用吸収性物品の特定の形状ならびに形態は、代替の形態で規定され得る。たとえば、図5に示されているように、第1の部分配列36の吸収性物品の一例、すなわち、女性使用者に適合する吸収性物品の正面図が、弛ませて平らな状態で概略的に示されている。吸収性物品1は、脇継ぎ目6a、6bの最上点52と、脇継ぎ目6a、6bの最下点53との間に延在する第1の線51、および縦方向Yに延在する第2の線54によって画定される第1の鋭角50を含む。図6は、第2の部分配列37の吸収性物品の一例、すなわち、男性使用者に適合する吸収性物品の対応する図を概略的に示している。第1の鋭角50は、第1の部分配列36の吸収性物品1において、第2の部分配列37の吸収性物品1においてよりも、物品を弛ませた状態では大きい。このことは、概して、弛ませた状態のより傾斜した脇継ぎ目6a、6bを有する第1の部分配列36の吸収性物品が、女性ヒップの相対的に広くより台形形状の形態にフィットするように、より良好に適合されていると見なすことができ、一方、概して、弛ませた状態の基本的に縦長の脇継ぎ目6a、6bを有する第2の部分配列37の吸収性物品が、男性ヒップの相対的に細く箱形状の形態にフィットするように、より良好に適合されていると見なすことができることを基本的に意味する。
【０１１２】
その結果、配列の各吸収性物品は、特定の性別ごとに、より良好にフィットするように適合されている、弛ませた状態の形状および形態を有し、このことは、主としてまたは全体として、横方向Xでの前面パネルおよび/または背面パネルのシート材料のギャザー付けの程度を適合させた成果である。
【０１１３】
第1の鋭角50は、第1の部分配列36の吸収性物品1および第2の部分配列37の吸収性物品1において、物品を伸ばした状態では実質的に等しくてもよい。
【０１１４】
その上、本開示による吸収性物品の配列の男性用吸収性物品および女性用吸収性物品の特定の形状ならびに形態は、さらなるより代替的な形態で規定され得る。たとえば、図5および図6に示されているように、配列内の各吸収性物品は、吸収性物品の弛ませた平らな状態で測定されたとき、脇継ぎ目6a、6bの最下点53と、横方向Xに脇継ぎ目6a、6bの最下点53から5cmの距離58における前面脚縁部23に沿った点57とを通って延びる第3の線56、および横方向Xに延びる第4の線59によって画定される第2の鋭角55を含むことができる。
【０１１５】
あるタイプのパンツ式吸収性物品が、ウェスト部分のギャザー付けレベルの程度を変えて提供されたとき、吸収性物品のフィット性および快適性に関係する少なくとも2つの特定のフィーチャが変化する。これらの2つの特定のフィーチャは、脇継ぎ目6a、6bの、すなわち、上記に規定した第1の鋭角50の変化に基本的に対応する傾斜、および吸収性物品1の前面脚縁部23の傾斜である。横方向X、すなわち、水平方向に対する前面脚縁部23の傾斜の増加は、結果として、概して、女性使用者に対する適合性の向上に関連する。
【０１１６】
第2の鋭角55は、第1の部分配列36の吸収性物品1および第2の部分配列37の吸収性物品1において、物品を伸ばした状態では実質的に等しくてもよい。
【０１１７】
図5および図6においては、第2の鋭角55は、第1の部分配列36の吸収性物品1において、第2の部分配列37の吸収性物品1においてよりも大きいことは明らかである。その結果、このことは、概して、弛ませた状態のより傾斜した前面脚縁部23を有する第1の部分配列36の吸収性物品が、女性ヒップの相対的に広くより台形形状の形態にフィットするように、より良好に適合されていると見なすことができ、一方、概して、弛ませた状態のそれほど傾斜していない前面脚縁部23を有する第2の部分配列37の吸収性物品が、男性ヒップの相対的に細く、箱形状の形態にフィットするように、より良好に適合されていると見なすことができることを基本的に意味する。
【０１１８】
その結果、配列の各吸収性物品は、特定の性別ごとに、より良好にフィットするように適合されている、弛ませた状態の形状および形態を有し、このことは、主としてまたは全体として、横方向Xでの前面パネルおよび/または背面パネルのシート材料のギャザー付けの程度を適合させた成果である。
【０１１９】
その上、図7に示されているように、状況によっては、ある種の台形形状を有するものの、典型的には配列の女性用吸収性物品よりは程度を低くした、配列の男性用吸収性物品を提供することが望ましい場合がある。したがって、第2の部分配列の吸収性物品の第1の鋭角50は、ゼロよりは大きいが、依然として、第1の部分配列の吸収性物品の第1の鋭角50よりは小さくすることができる。
【０１２０】
図8に示されているように、本開示はまた、性別による使い捨てパンツ式吸収性物品1の配列を含むパッケージの配列80に関する。パッケージの配列80は、少なくとも第1のパッケージ81、第2のパッケージ82、第3のパッケージ83、および第4のパッケージ84を含む。第1のパッケージ81は、第1の部分配列36に関連し女性使用者に適合する複数の第1の大きさの吸収性物品1を含む。第2のパッケージ82は、第1の部分配列36に関連し女性使用者に適合する複数の第2の大きさの吸収性物品1を含む。第3のパッケージ83は、第2の部分配列37に関連し男性使用者に適合する複数の第3の大きさの吸収性物品1を含む。第4のパッケージ84は、第2の部分配列37に関連し男性使用者に適合する複数の第4の大きさの吸収性物品1を含む。パッケージの配列80内の第1のパッケージから第4のパッケージ81、82、83、84のそれぞれは、その内部の使い捨てパンツ式吸収性物品1の大きさおよび/または適切な性別を示す外付けマーキングを備える。そのような配列は、例として、吸収性物品を販売するスーパーマーケットまたはグローサリーストアにおいて見つけることができる。
【０１２１】
実験データ
図9は、吸収性物品1の伸ばした状態のウェスト部分42および身頃部分43の周長を測定するため、ならびに吸収性物品1の弛ませた状態のウェスト部分42の周長を測定するために使用される試験装置を概略的に示している。
【０１２２】
吸収性物品1の伸ばした状態のウェスト部分42および身頃部分43の周長の測定は、任意の適切な引張試験機を使用することによって行われる。下記の実験データを取得するのに使用された引張試験機は、Instronのモデル4464であり、ここでは、クランプ90が、平行な上側および下側の管形成円筒91に付け替えられており、これらの円筒91は、直径が60ミリメートルであり、吸収性物品1の縦方向Yに配向されている。管形成円筒は、低摩擦をもたらす滑らかな表面を含むブランク研磨された(blank polished)SS2333ステンレス鋼から作製されており、それにより、吸収性物品が表面に対して貼り付かなくなる。円筒91間の距離92は、最初は、吸収性物品1の自然幅に対応するように設定され、それにより、吸収性物品は、円筒91が吸収性物品1の内側に配置されており、円筒91が脇継ぎ目6a、6bの少なくとも全長にわたって延在している自然状態で、円筒91上に取り付けられ得る。円筒91は、続いて、横方向Xに引き離される。試験は、最大で張力90ニュートンまで200mm/分の一定速度により行われ、引張試験機は、少なくとも3ニュートンおよび80ニュートンにおけるプロットおよび/またはサンプルデータにプログラミングされている。
【０１２３】
測定には、新規製品が、採られ、広げられた。試験結果は、5つの試験済み製品の平均結果に基づいている。円筒91の中心間の距離92は、反対方向93に規定の力を与える際に測定された。吸収性物品1の伸ばした状態のウェスト部分42および身頃部分43の周長は、円筒91が力80ニュートンにより吸収性物品1の脇を引き離したときの、円筒91の中心間の距離92と、円筒91の直径60ミリメートルにπを乗じたものとを加えたものの2倍に対応する。
【０１２４】
吸収性物品1の弛ませた状態のウェスト部分42の周長の測定は、円筒91が力3ニュートンにより吸収性物品1の脇を引き離したときの、同じ試験運転で行われる。吸収性物品1の弛ませた状態のウェスト部分42の周長は、円筒91が力3Nにより吸収性物品1の脇から引き離したときの、円筒91の中心間の距離92と、円筒91の直径60ミリメートルにπを乗じたものとを加えたものの2倍に対応する。
【０１２５】
試験済みの女性用製品は、弾性フィルムラミネートで作製されている背面パネルおよび前面パネルを有する製品である。弾性フィルムラミネートは、ポリオレフィンの表面層とともに共押出しされるスチレンエチレン/ブチレンスチレンブロック共重合体の弾性フィルムを含む。フィルムの坪量は、35gsmである。弾性フィルムは、坪量16gsmの内側および外側のスパンボンド不織布プロピレン層に超音波結合されており、フィルムは、240%まで伸張された。
【０１２６】
女性用製品のウェスト領域は、フィルムラミネートと、スパンボンド不織布のカバーストリップとの間のウェスト領域に付着された230%伸長まで伸張された940dtexの6本の弾性糸の形態で追加のウェスト弾性部を含む。
【０１２７】
試験済み男性用製品は、さらなる追加されたウェスト弾性部を除いて女性用製品と同じ構成、材料、および同じピッチ長を有する。そのため、男性用製品のウェスト領域は、弾性フィルムラミネートのみを含む。
【０１２８】
製品間の比較は、説明した試験方法により、3Nおよび80Nにおいて行われた。10個の試験済み吸収性物品、すなわち、5つの男性用吸収性物品および5つの女性用吸収性物品の結果として生じる実験データは、測定データとともにTable 1(表1)において下記に示されている。Table 1(表1)は、試験済みのサンプルごとに、ニュートン単位の様々なレベルの張力におけるウェスト部分のミリメートル単位の測定済み周長を含む。Table 1(表1)はまた、それぞれ5つの試験済み女性用物品および試験済み男性用物品の平均された値による行を含む。
【０１２９】
【表１】
2020531161.tif 000003
【０１３０】
さらには、上記に示されたTable 1(表1)からのデータに基づいて、下記の図表1(T-1)は、10個の試験済み吸収性物品のそれぞれについて、垂直軸にウェスト部分の測定された周長、および水平軸に試験装置の円筒によって加えられた張力を示している。破線は、5つの試験済み男性用物品に対応し、実線は、5つの試験済み女性用物品に対応する。
【０１３１】
【表２】
2020531161.tif 000004
【０１３２】
その上、Table 1(表1)からのデータに基づいて、下記の図表2(T-2)は、垂直軸に女性用物品および男性用物品のウェスト部分の平均の測定済み周長、ならびに水平軸に試験装置の円筒によって加えられた張力を示している。破線は、5つの試験済み男性用物品の平均値に対応し、実線は、5つの試験済み女性用物品の平均値に対応する。
【０１３３】
【表３】
2020531161.tif 000005
【０１３４】
実験データは、弛ませた状態、すなわち、張力3ニュートンで、男性用吸収性物品および女性用吸収性物品の弾性をもたせたウェスト部分42の幅の平均差が約21%であり、伸ばした状態、すなわち、張力80ニュートンで、男性用吸収性物品および女性用吸収性物品の弾性をもたせたウェスト部分42の幅の平均差がほんの約2%であることを示している。
【０１３５】
したがって、この実験データは、性別による使い捨てパンツ式吸収性物品の配列の少なくとも1つの女性用吸収性物品および少なくとも1つの男性用吸収性物品が、伸ばした状態の前面パネル3および背面パネル4の基本的に同じ幾何学的形状および寸法を共有し、それにより、性別による吸収性物品の配列のコストが相対的に低く保たれ、配列の弛ませた状態の男性用吸収性物品および女性用吸収性物品の形状ならびに形態が、性別ごとに、より良好なフィット性をもつように適合されるようになり、配列の弛ませた状態および伸ばした状態の男性用吸収性物品および女性用吸収性物品の形状ならびに形態が、横方向Xでの前面パネルおよび/または背面パネルのシート材料のギャザー付けの程度を変えることによって適合されているという本開示の基本的概念を裏付けるものである。その上、弛ませた状態のウェスト部分の周長は、たとえば、ウェストおよび/または身頃の弾性フィーチャを適合させることによって、変えることができ、相対的にコスト効率良く適合させることができる。
【０１３６】
上記に含まれている実験データは、単に、3ニュートンおよび80ニュートンでの男性用吸収性物品および女性用吸収性物品の弾性をもたせたウェスト部分42の幅の平均差の1つの例にすぎず、3ニュートンおよび80ニュートンでの男性用吸収性物品および女性用吸収性物品の弾性をもたせたウェスト部分42の幅の他のレベルの平均差は種々であってもよいが、快適性、フィット性、および個別の下着のような見た目という観点で吸収性物品の改良をもたらすという問題を依然として解決するとともに、低い製造コストを維持することが望ましい。たとえば、対象問題は、張力3ニュートンでの幅の差異が、少なくとも10%、具体的には15%超であり、張力80ニュートンでの幅の差異が、5%未満、具体的には3%未満であるときにも解決される。
【０１３７】
「吸収性物品(absorbent article)」とは、尿および/または血液など、体液を吸収する、または吸収するように適合されている物品を意味する。
【０１３８】
たとえば、前面パネルおよび背面パネルを形成する本開示の不織布材料層またはウェブは、たとえば、スパンボンド、エアレイド、ウェットレイド、カーデッド、エレクトロスパン、またはメルトブローンの不織布から選択され得る。不織布材料は、多技法、たとえばニードリング、水流交絡、または熱結合によって結合され得る。
【０１３９】
開示の吸収性物品の不織布材料は、天然材料と合成材料との混合物である。例として、天然繊維は、セルロース系繊維、または再生セルロースからの繊維である。
【０１４０】
「弾性糸(elastic thread)」という用語は、たとえば、天然または合成のゴム、熱可塑性ポリウレタンなどの熱可塑性エラストマー、もしくはスチレンブロック共重合体、またはスパンデックス(ポリウレタンポリウレア共重合体)とも呼ばれるエラスタインなどの弾性材料で作製されている弾性ストランドまたは弾性糸を意味するように意図されている。糸は、商標名「LYCRA」の下で入手可能であるエラスタインタイプのものとすることができるが、任意の適切な弾性糸が使用可能である。糸は、線質量密度dtexが約80から1200dtexとすることができる。
【０１４１】
弾性糸は、最初の張力のかかっていない元の長さの約50から約300%まで、より好ましくは、最初の張力のかかっていない元の長さの100から250%まで、最も好ましくは150から220%まで、生産工程中に伸長される。弾性糸は、好ましくは、断線することなく少なくとも約200%の伸長に耐えることができるタイプのものとすべきであり、それにより、弾性糸は、断線のおそれなしに生産工程において安全に使用され得ることになる。
【０１４２】
弾性ウェブ材料についての材料に関するさらなる情報については、全体が参照されているWO2014/098683A1に開示されている。
【０１４３】
吸収性コア5は、セルロースの毛羽立ちパルプ、ティッシュ層、高吸収性重合体(超吸収体)、ヒドロゲル発泡材料(hydrogel-foam material)を含む吸収性発泡体、または吸収性不織布材料など、排泄された体外排出物を吸収するのに適切な任意の従来の材料を含むことができる。
【０１４４】
吸収性コア5は、使用者の皮膚に面するように意図された側に置かれている液体透過可能トップシート、および使用者の衣類に面するように意図された吸収体の側に置かれている液体非透過性バックシートを有することができる。概して、液体透過可能トップシートは、不織布材料を含む、または不織布材料からなる。トップシート材料は、トウ繊維、多孔質発泡体、開口付きプラスチックフィルムなどでさらに構成されていてよい。上述したように、トップシート材料として適している材料は、柔らかで、皮膚に刺激がなく、体液、たとえば尿または月経液が浸透しやすく、低リウェット特性を示すものとすべきである。
【０１４５】
液体非透過性バックシートは、薄いプラスチックフィルム、たとえばポリエチレンもしくはポリプロピレンフィルム、液体を通さない材料によりコーティングされている不織布材料、液体浸透に耐える疎水性不織布材料、またはプラスチックフィルムおよび不織布材料のラミネートで構成されていてよい。バックシート材料は、依然として液体がバックシート材料を通過しないようにしながら、吸収体から蒸気を逃すことができるように通気可能であってもよい。
【０１４６】
トップシートおよびバックシートは、たとえば、接着結合、糊付け、または熱もしくは超音波による溶接によって、互いに連繋され得る。トップシートおよび/またはバックシートは、接着、熱結合など、当技術分野で知られている任意の方法によって吸収体にさらに付着され得る。
【０１４７】
吸収性コア5のトップシートおよびバックシートは、吸収性コア5のエリアを越えて外側に延在していてもよく、それによって、吸収性コア5を含む吸収性インサート2が画定される。吸収性コア5の最大幅は、典型的には、横方向Xに約80から150mmであり、吸収性コア5の最大長さL6は、典型的には、縦方向Yに約400から600mmである。
【０１４８】
吸収性コア5は、約50から100mmの長さが前面パネル3に重なってよい。その上、吸収性コア5は、約200から250mmの長さが身頃パネル4に重なってよく、代替としては、吸収性コア5は、約30から70mmの長さが背面パネル4の主部28に重なってもよい。
【０１４９】
特許請求の範囲において記載される参照符号は、特許請求の範囲によって保護される主題の範囲を限定するものと見なされるべきではなく、それらの唯一の機能は、特許請求の範囲を理解しやすくすることである。
【０１５０】
認識されるように、本開示は、添付の特許請求の範囲から逸脱することなく、様々な明らかな点で修正が可能である。したがって、図面およびそれに対する説明は、性質的に例示と見なすべきであり、限定と見なすべきではない。この吸収性物品ならびにその構成要素および方法は、開示される特定の形態に限定するように意図されていないことを理解すべきである。むしろ、それらは、特許請求の範囲内に入るすべての修正形態、均等形態、および代替形態を含むように意図されている。それらは、開示の実施形態とその変形形態からの特徴を組み合わせることによって形成され得る実施形態を含むようにさらに意図されている。
【符号の説明】
【０１５１】
1  パンツ式吸収性物品
2  吸収性インサート
3  前面パネル、前身頃パネル
4  背面パネル、背身頃パネル、後ろ身頃パネル
5  吸収性コア
6a、6b  脇継ぎ目
7  ウェスト用開口部
8  脚用開口部
21  ウェスト縁部
22a  左脇縁部
22b  右脇縁部
23  前面脚縁部
24  第1の弾性領域
25  第2の弾性領域
26  ウェスト縁部
27a  左脇縁部
27b  右脇縁部
28  背面脚縁部、主部
29  第3の弾性領域
30  第4の弾性領域
35  配列
36  第1の部分配列
36a  第1の大きさの吸収性物品
36b  第2の大きさの吸収性物品
37  第2の部分配列
37a  第3の大きさの吸収性物品
37b  第4の大きさの吸収性物品
39  長さ
40  長さ
41  高さ
42  ウェスト部分
43  身頃部分
50  第1の鋭角
51  第1の線
52  最上点
53  最下点
54  第2の線
55  第2の鋭角
56  第3の線
57  点
58  距離
59  第4の線
60  最小縦方向距離
70  弾性糸
80  パッケージの配列
81  第1のパッケージ
82  第2のパッケージ
83  第3のパッケージ
84  第4のパッケージ
90  クランプ
91  円筒
92  距離
L6  最大長さ
X  横方向
Y  縦方向
【図１ａ】
2020531161.tif 000006
【図１ｂ】
2020531161.tif 000007
【図２】
2020531161.tif 000008
【図３】
2020531161.tif 000009
【図４】
2020531161.tif 000010
【図５】
2020531161.tif 000011
【図６】
2020531161.tif 000012
【図７】
2020531161.tif 000013
【図８】
2020531161.tif 000014
【図９】
2020531161.tif 000015
【国際調査報告】
2020531161.tif 000016
2020531161.tif 000017
2020531161.tif 000018
2020531161.tif 000019
2020531161.tif 000020